(57)【要約】      （修正有）【課題】コンパクトで高い有害・悪臭のガス状物質の吸着除去能力を持つ卓上空気清浄機を提供すること。【解決手段】有害・悪臭のガス状物質を含む空気を吸い込む吸気口３、ファン、上記ガス状物質を吸着除去するフィルター部、除去後の空気を排出する排気部４を有し、吸気部３に空気の流入範囲を制限する可動の吸気範囲規制板２を有する卓上型空気清浄機１。化学実験や生物学実験等において発生する有害・悪臭のガス状物質を効率よく除去することができ、作業者の健康被害及び近隣の人々に対する被害を低減することができる卓上型空気清浄機１。【選択図】図１
2017217179.tif 000002
【特許請求の範囲】
【請求項１】
有害および／または悪臭のガス状物質が発生する条件下で作業を行うにあたり、当該ガス状物質を吸着除去する卓上型空気清浄機であって、筐体の外部に吸気口、排気口を有し、内部にファン、上記ガス状物質を吸着除去するフィルターを備え、さらに、吸気口に空気の流入範囲を制限する可動の吸気範囲規制板を有する卓上型空気清浄機。
【請求項２】
上記ガス状物質が、有機溶剤、アルデヒド等の揮発性化学薬品であり、上記フィルターが、これらガス状物質を吸着除去する機能を有する無機多孔体を含有することを特徴とする請求項１記載の卓上型空気清浄機。
【請求項３】
上記無機多孔体が、合成ゼオライトをヒドラジド化合物で化学修飾したものであることを特徴とする請求項２記載の卓上型空気清浄機。
【発明の詳細な説明】
【技術分野】
【０００１】
本発明は、コンパクトで高い有害・悪臭のガス状物質の吸着除去能力を持つ卓上空気清浄機に関する。
【背景技術】
【０００２】
化学実験や生物学実験では、揮発性の高い有機溶剤やホルマリン等の化学薬品が多用されており、揮散する有害・悪臭のガス状物質による作業者自身の健康被害のみならず、近隣の人々に対する被害が懸念される。
【０００３】
従来、化学薬品の使用方法の見直しや、局所排気装置の設置等の手法により作業環境の改善が図られている。
【０００４】
しかしながら、特許文献１に記載されるような排気ドラフトやガス吸引機能付きの設備は大がかりなものであり、また、実験における作業性を損なうものである。その上、作業者周辺のガス状物質を速やかに除去する効果も十分とはいえないものである。
【先行技術文献】
【特許文献】
【０００５】
【特許文献１】特開２００５−３３７５６２号公報
【発明の概要】
【発明が解決しようとする課題】
【０００６】
本発明は、上記の事情を鑑み、有害・悪臭のガス状物質が発生する条件下で作業を行うにあたり使用する、コンパクトで高いガス状物質の吸着除去能力を持つ卓上型空気清浄機を提供することを課題とする。
【課題を解決するための手段】
【０００７】
本発明は、有害・悪臭のガス状物質が発生する条件下で作業を行うにあたり使用する卓上型空気清浄機であって、以下の技術を基礎とする。
【０００８】
（１）有害および／または悪臭のガス状物質が発生する条件下で作業を行うにあたり、当該ガス状物質を吸着除去する卓上型空気清浄機であって、筐体の外部に吸気口、排気口を有し、内部にファン、上記ガス状物質を吸着除去するフィルターを備え、さらに、吸気口部に空気の流入範囲を制限する可動の吸気範囲規制板（以下、「規制板」という。）を有する卓上型空気清浄機。
【０００９】
（２）上記ガス状物質が、有機溶剤、アルデヒド等の揮発性化学薬品であり、上記フィルターが、これらガス状物質を吸着除去する機能を有する無機多孔体を含有することを特徴とする（１）の卓上型空気清浄機。
【００１０】
（３）上記無機多孔体が、合成ゼオライトをヒドラジド化合物で化学修飾したものであることを特徴とする（２）の卓上型空気清浄機。
【発明の効果】
【００１１】
本発明により提供されるコンパクトで高いガス状物質の吸着除去能力を持つ卓上型空気清浄機によれば、化学実験や生物学実験において発生する有害・悪臭のガス状物質を効率よく除去することができ、作業者の健康被害及び近隣の人々に対する被害を低減することができる。
【図面の簡単な説明】
【００１２】
【図１】図１は本発明の卓上型空気清浄機の全体を示す図である。
【図２】図２は本発明の卓上型空気清浄機の使用状態を示す図である。
【図３】図３は本発明の卓上型空気清浄機の内部構造を示す図である。
【図４】図４は本発明の卓上型空気清浄機を使用した実験の概要を示す図である。
【発明を実施するための形態】
【００１３】
本発明の卓上型空気清浄機を図面に基づいて説明する。
図１に示すように、本発明の卓上型空気清浄機は、吸気口３と排気口（開閉可能）４を有する空気清浄機本体１と、本体吸気口両側に設けられる可動の規制板２とからなる。
【００１４】
空気清浄機本体１は、机などの上面から鉛直方向に自立する角柱体で、吸気口両側に蝶番部材で可動の板材、規制板２を連結してある。規制板２は、図２に示すように、ガス状物質を含む空気を効率よく吸気できる角度に開いて使用する。
【００１５】
図３に示すように、本発明の卓上型空気清浄機は、内部にガス状物質を含む空気を吸い込み、フィルターに送気するファン６と、有害・悪臭のガス状物質を吸着除去するフィルター７とを備えている（規制板２については記載省略）。
【００１６】
フィルターは、天然繊維、合成繊維、ガラス繊維、金属繊維、セラミックス繊維、炭素繊維などからなる紙素材や不織布を骨材とするものである。
【００１７】
そしてフィルターは、無機多孔体を漉き込むか塗付することによって、ガス状物質や悪臭を吸着除去する効果を得る。
【００１８】
加えて、無機多孔体にヒドラジド化合物を化学修飾することで、アルデヒド類に対する吸着除去能力を飛躍的に向上させることができる。
【００１９】
本発明で用いるヒドラジド化合物としては、例えば、ホルムヒドラジド、アセトヒドラジド、プロピオン酸ヒドラジド、ラウリン酸ヒドラジド、ステアリン酸ヒドラジド、サリチル酸ヒドラジド、安息香酸ヒドラジド、ｐ−ヒドロキシ安息香酸ヒドラジド、メチルカルバゼート、エチルカルバゼート、セミカルバジド塩酸塩などのモノヒドラジド、カルボヒドラジド、シュウ酸ジヒドラジド、マロン酸ジヒドラジド、コハク酸ジヒドラジド、グルタル酸ジヒドラジド、アジピン酸ジヒドラジド、ピメリン酸ジヒドラジド、スベリン酸ジヒドラジド、アゼライン酸ジヒドラジド、セバシン酸ジヒドラジド、テレフタル酸ジヒドラジド、イソフタル酸ジヒドラジド、酒石酸ジヒドラジド、リンゴ酸ジヒドラジド、イミノジ酢酸ジヒドラジド、イタコン酸ジヒドラジド、ドデカンジオヒドラジド、ヘキサデカンジオヒドラジド、２，６−ナフトエ酸ジヒドラジド、１，４−ナフトエ酸ジヒドラジド、４，４´−ビスベンゼンジヒドラジド、２，６−ピリジンジヒドラジド、１，４−シクロヘキサンジヒドラジド、Ｎ，Ｎ´−ヘキサメチレンビスセミカルバジドなどのジヒドラジド、クエン酸トリヒドラジド、ピロメリット酸トリヒドラジド、１，２，４−ベンゼントリヒドラジド、ニトリロ酢酸トリヒドラジド、シクロヘキサントリカルボン酸トリヒドラジドなどのトリヒドラジド、エチレンジアミン四酢酸テトラヒドラジド、１，４，５，８−ナフトエ酸テトラヒドラジドなどのテトラヒドラジドなどを用いることができる。特に、ヒドラジノ基を２つ以上有するヒドラジド化合物が好適である。
一般に、ヒドラジン化合物とホルムアルデヒドガスは、以下の化学式で吸着反応が進行する。
−ＮＨ２ ＋ ＨＣＨＯ → −ＮＨ−ＣＨ２−(ＯＨ)
【００２０】
ヒドラジド化合物は、無機多孔体粉体に反応処理させる、漉き込みや塗付と同時に反応させる、またはフィルター成型後に塗付させる、かのいずれの方法でも高い効果を発揮する。
【００２１】
無機多孔体は、Ｙ型やＭＦＩ型などシリカ分の多い合成ゼオライトが最も適している。シリカゲルやスメクタイトなどを用いてもよい。
【実施例】
【００２２】
図１に示す卓上型空気清浄機を作製した。なお、本発明はこの実施例に限定されるものではない。
【００２３】
この卓上型空気清浄機の脱臭効果について、実施例として装置稼働状態（規制板使用）、比較例として装置稼働状態（規制板不使用）および装置未稼動状態における風速、ガス濃度の変化を測定した。ガス物質は、エタノールを濾紙に含浸揮発させ、携帯型ガスセンサーで濃度を計測した。
【００２４】
図４に実験の概要を記す。エタノールを濾紙５に含浸させ作業者の前に置く。エタノールは直ちに揮発しガスが発生する。ガス発生と同時に装置を稼働し、５分後に風速およびガス濃度を計測した。
【００２５】
規制板は吸引部に対して１２０°の角度に設定した。風速およびガス濃度は机上２cmの高さで行った。その結果を表１に示す。
【００２６】
【表１】
2017217179.tif 000003
【産業上の利用可能性】
【００２７】
本発明の卓上型空気清浄機を用いることにより、有害・悪臭のガス状物質が発生する条件下であっても、作業者は有害・悪臭のガス状物質に暴露されることなく安全に作業を行うことができる。したがって、化学実験・生物学実験のみならず、有機溶剤を含む塗料・接着剤を使用する作業等、広い分野での作業を本発明の卓上型空気清浄機を用いることにより簡便に安全に行うことができる。
【符号の説明】
【００２８】
１  空気清浄機本体
２  吸気範囲規制板
３  吸気口
４  排気口
５  ガス発生源
６  ファン
７  フィルター
８  吸気
９  排気
【図１】
2017217179.tif 000004
【図２】
2017217179.tif 000005
【図３】
2017217179.tif 000006
【図４】
2017217179.tif 000007